(57)【要約】【課題】  適正なスイートスポットを備えたゴルフクラブヘッドを提供する。【解決手段】  クラブヘッド本体（10）は、打球面（11）、トップライン（12）、ソール（13）、キャビティを備えたバック（14）、ヒール（15）及びトウ（16）を有する。凹部の形態をした多数のアンダーカット（22）が、キャビティ（20）から遠ざかって延びる状態でキャビティ内に設けられている。凹部を種々の態様で差し向けることができる。第１の構成では、凹部はヒールからトウの方向において打球面に長手方向に整合している。第２の構成では、凹部は、フロントからバックの方向において打球面に対し横断方向に整合し、ヒールからトウの方向に延びている。第３の構成では、複数の凹部は、長手方向に配列された凹部と横方向に配列された凹部の両方から成る。【選択図】      図１
2005253980.tif 000002
【特許請求の範囲】
【請求項１】
ゴルフクラブヘッドであって、
打球面と、トップラインと、ソールと、バックとを構成する、ヒール及びトウを備える本体を有し、
前記バックにキャビティが設けられ、
該キャビティに複数の凹部が設けられ、該凹部が前記キャビティから遠ざかるように延びる、
ゴルフクラブヘッド。
【請求項２】
前記凹部が、ヒールからトウの方向において前記打球面に対して実質的に長手方向に整合され、前記複数の凹部が、前記キャビティのヒール部分に位置決めされた第１凹部と、前記キャビティのトウ部分に位置決めされた第２凹部とを有する、請求項１記載のゴルフクラブヘッド。
【請求項３】
前記第１及び第２凹部が、各々、約１立方センチメートル〜約１０立方センチメートルの容積を有する、請求項２記載のゴルフクラブヘッド。
【請求項４】
前記第１及び第２凹部が、各々、約０．３００インチ（７．６２ｍｍ）〜約０．８００インチ（２０．３２ｍｍ）の深さを有する、請求項２記載のゴルフクラブヘッド。
【請求項５】
前記第１凹部内に位置決めされた第１ウエイト部材と、前記第２凹部内に位置決めされた第２ウエイト部材とを有する、請求項２記載のゴルフクラブヘッド。
【請求項６】
前記第１及び第２ウエイト部材が、各々、約１０グラム以上の質量を有する、請求項５記載のゴルフクラブヘッド。
【請求項７】
前記第１及び第２凹部のうち一方の中に位置決めされた制振インサートと、
前記第１及び第２凹部の他方の中に位置決めされたウエイトインサートとを
有する、請求項２記載のゴルフクラブヘッド。
【請求項８】
前記複数の凹部が、前記第１凹部と前記第２凹部の中間に第３凹部を有する、請求項２記載のゴルフクラブヘッド。
【請求項９】
前記第１及び第２凹部が、各々、約１立方センチメートル〜約１０立方センチメートルの容積を有し、前記第３凹部が、前記第１凹部及び前記第２凹部の各々の容積よりも大きい容積を有する、請求項８記載のゴルフクラブヘッド。
【請求項１０】
前記第１及び第２凹部が、各々、約０．３００インチ（７．６２ｍｍ）〜約０．８００インチ（２０．３２ｍｍ）の深さを有し、前記第３凹部が、約０．４５０インチ（１１．４３ｍｍ）〜約０．７００インチ（１７．７８ｍｍ）の深さを有する、請求項８記載のゴルフクラブヘッド。
【請求項１１】
前記第１凹部内に位置決めされた第１ウエイト部材と、
前記第２凹部内に位置決めされた第２ウエイト部材と、
前記第３凹部内に位置決めされた第３ウエイト部材とを
有する、請求項８記載のゴルフクラブヘッド。
【請求項１２】
前記第１及び第２ウエイト部材が、各々、約１０グラム以上の質量を有し、前記第３ウエイト部材が約１０グラム以下の質量を有する、請求項１１記載のゴルフクラブヘッド。
【請求項１３】
前記第１凹部内に位置決めされた第１ウエイト部材と、
前記第２凹部内に位置決めされた第２ウエイト部材と、
前記第３凹部内に位置決めされた制振部材と
を有する、請求項８記載のゴルフクラブヘッド。
【請求項１４】
前記第１及び第２ウエイト部材が、各々、約１０グラム以上の質量を有し、前記制振部材が約１０グラム以下の質量を有する、請求項１１記載のゴルフクラブヘッド。
【請求項１５】
前記凹部は、フロントからバックへの方向において前記打球面に対して実質的に横方向に整合され、ヒールからトウの方向に延び、前記複数の凹部は、前記バックに隣接して位置決めされた第１凹部を有する、請求項１記載のゴルフクラブヘッド。
【請求項１６】
前記第１凹部が約１立方センチメートル〜約１０立方センチメートルの容積を有する、請求項１５記載のゴルフクラブヘッド。
【請求項１７】
前記複数の凹部が前記第１凹部に隣接した第２凹部を有し、
前記第２凹部内に位置決めされたウエイト部材を有する、
請求項１６記載のゴルフクラブヘッド。
【請求項１８】
前記第１凹部内に位置決めされた制振部材を有する、請求項１５記載のゴルフクラブヘッド。
【請求項１９】
前記複数の凹部が前記第１凹部に隣接した第２凹部を有する、請求項１５記載のゴルフクラブヘッド。
【請求項２０】
前記第１凹部内に位置決めされた制振部材と、前記第２凹部内に位置決めされたウエイト部材とを有する、請求項１９記載のゴルフクラブヘッド。
【請求項２１】
前記ウエイト部材が約１０〜約２０グラムの質量を有する、請求項２０記載のゴルフクラブヘッド。
【請求項２２】
前記第１凹部内に位置決めされたウエイト部材と、前記第２凹部内に位置決めされた制振部材とを有する、請求項１９記載のゴルフクラブヘッド。
【請求項２３】
前記複数の凹部が、
フロントからバックへの方向において前記打球面に対して実質的に横方向に整合され、ヒールからトウの方向に延びる第１凹部と、
ヒールからトウの方向において前記打球面に対して実質的に長手方向に整合され、前記キャビティのヒール部分に位置決めされた第２凹部と、
ヒールからトウの方向において前記打球面に対して実質的に長手方向に整合され、前記キャビティのトウ部分に位置決めされた第３凹部とを
有する、請求項１記載のゴルフクラブヘッド。
【請求項２４】
前記第１凹部内に位置決めされた制振部材と、
前記第２凹部内に位置決めされた第１ウエイト部材と、
前記第３凹部内に位置決めされた第２ウエイト部材とを
有する、請求項２３記載のゴルフクラブヘッド。
【請求項２５】
前記第２凹部と前記第３凹部との中間に第４凹部を有する、請求項２３記載のゴルフクラブヘッド。
【請求項２６】
前記複数の凹部の少なくとも１つには、ウエイト部材と制振部材の両方が位置決めされている、請求項１記載のゴルフクラブヘッド。
【請求項２７】
前記ゴルフクラブヘッドがアイアンタイプのゴルフクラブヘッドである、請求項１記載のゴルフクラブヘッド。
【発明の詳細な説明】
【技術分野】
【０００１】
本発明は、ゴルフクラブヘッドに関し、特に多数のアンダーカットを備えたゴルフクラブヘッドに関する。
【背景技術】
【０００２】
アイアンタイプのゴルフクラブヘッドは一般に、フロント又は打球面、トップライン及びソールを有する。フロントフェースは、ゴルフボールとインタフェースし、これを打つ。複数のスコアライン又は溝が、スピンをボールにかけるのを助けるためにフェースに設けられている。トップラインは一般に、特定の痛みをゴルファーに与えると共にウエイトとなるよう構成されている。ゴルフクラブのソールは、ゴルフのショットにとって特に重要である。というのは、これはゴルフショット中、地面に接触してこれとインタフェースするからである。
【０００３】
従来のアイアンタイプゴルフクラブ一式（以下、「セット」という場合がある）では、各クラブは、クラブヘッドが一端に取り付けられ、グリップが他端に取り付けられたシャフトを有する。クラブヘッドは、ゴルフボールを打つフェースを有する。フェースと鉛直面とのなす角度は、ロフトアングルと呼ばれている。
【０００４】
セットは一般に、２番〜９番アイアン及びピッチングウェッジを含む。他のウェッジ、例えばロブウェッジ、ギャップウェッジ及びサンドウェッジが任意的にセットに加えられる場合がある。各アイアンは、各クラブヘッドについてのロフトがロングアイアンからショートアイアンまで増大するにつれてセット中の始めのものから終わりのものまで減少するシャフト長さを有するのが通例である。クラブの長さは、クラブヘッドのロフト及び重心の位置と共に衝撃の際における種々のパフォーマンス特性をボールの打ち上げ条件に与え、ボールが飛ぶ距離を決定する。飛ぶ距離は一般に、ロフトアングルの減少につれて増大する。しかしながら、使い方の難しさも又、ロフトアングルの減少につれて増す。
【０００５】
アイアンタイプゴルフクラブは一般に、３つのカテゴリー、即ち、ブレード、マッスルバック及びキャビティバックに分けることができる。ブレードは、ソールからトップラインまで実質的に一様な外観を備えた従来型のクラブである。ただし、ソールからトップラインまで或る程度テーパがかけられている場合がある。
【０００６】
マッスルバックは、実質的に従来の外観を有し、ブレードに似ているがバックには余分な材料が盛り付けられている。この余分な材料は、リブの形態をしている場合があり、これを用いるとクラブヘッドの重心を下げることができる。クラブヘッドの重心を接触時にボールの重心よりも低くすると、結果的に得られるゴルフショットの打ち上げ角が増大する。
【０００７】
ブレード及びマッスルバックの設計は、スイートスポット（即ち、ゴルフボールの打撃時に結果的に所望のゴルフショットが得られるようにするフェースの領域）が狭いので、これらは使い方が比較的難しく、したがって、典型的には熟練（上手な）ゴルファーにしか使いこなせない。しかしながら、これら設計は、キャビティバックよりも寛容度が低いので、これら設計により、熟練ゴルファーは、ボールを制御してゴルフショットを所望通りの形にすることができる。
【０００８】
キャビティバックは、打球面と反対側でクラブのバックに空所又はキャビティを設けることにより、クラブ質量のうち何割かをクラブの周囲に動かす現代型の設計である。これにより、スイートスポットが広く寛容度の高いクラブが得られる。これにより、クラブフェースのサイズを増大させることができ、これ又その結果として広いスイートスポットが得られる。キャビティにより得られる周囲の重みづけは又、クラブの慣性モーメントを増大させ、この慣性モーメントは、トルク、例えばオフセンタヒット（中心からずれて打った場合）に起因して生じるトルクに対するクラブの抵抗の尺度である。慣性モーメントの増大のために、これらクラブは、ブレード及びマッスルバックよりもヒットしやすく、したがって未熟なゴルファーや初心者ゴルファーでも使用できる。
【０００９】
他の公知のゴルフクラブは、ウエイトをクラブに追加することにより所望のバランス又は慣性モーメントを達成する。これらクラブは典型的には、ウエイト部材をソールの底面の中心に追加している。
【発明の開示】
【課題を解決するための手段】
【００１０】
本発明は、多数のアンダーカットを有するゴルフクラブに関する。クラブヘッドは、打球面、トップライン、ソール及びバックを備えると共にヒール及びトウを備えた本体を有する。バックは、キャビティを有する。複数の凹部は、キャビティ内に設けられ、凹部は、キャビティから遠ざかって延びている。ゴルフクラブヘッドは好ましくは、アイアンタイプゴルフクラブヘッドである。
【００１１】
凹部を種々の態様で差し向けることができる。第１の構成では、凹部は、ヒールからトウの方向において打球面に長手方向に整合している。第２の構成では、凹部は、フロントからバックの方向において打球面に対し横断方向に整合し、ヒールからトウの方向に延びている。第３の構成では、複数の凹部は、長手方向に配列された凹部と横方向に配列された凹部の両方から成る。
【００１２】
長手方向に配列された凹部は好ましくは、キャビティのヒール部分に設けられた第１凹部及びキャビティのトウ部分に設けられた第２凹部を含む。第３凹部を第１凹部と第２凹部との中間に設けるのがよい。第１及び第２凹部の各々の容積は、約１立方センチメートル〜約１０立方センチメートルであり、深さは、約０．３００インチ（７．６２ｍｍ）〜約０．８００インチ（２０．３２ｍｍ）である。第３凹部の容積は、第１凹部及び第２凹部の各々の容積よりも大きい。変形例として、第３凹部の容積は、第１凹部及び第２凹部の容積の合計よりも大きい。第３凹部の深さは、約０．４５０インチ（１１．４３ｍｍ）〜約０．７００インチ（１７．７８ｍｍ）である。
【００１３】
横方向に配列された凹部は好ましくは、バックに隣接して位置する第１凹部及び第１凹部に隣接して位置する第２凹部を含む。
【００１４】
インサートは好ましくは、凹部の各々の中に配置されている。好ましいインサートとしては、ウエイト部材及び制振部材が挙げられる。任意特定の凹部内に配置されるインサートのタイプは様々であり、その結果クラブヘッドデザインについて多くの交換例又はバリエーションが得られる。選択される特定の設計は、ゴルファーのスイング及びクラブの所望の特性で決まる。長手方向に配列された凹部の場合、ウエイトインサートの質量は好ましくは、約１０グラム以上である。横方向に配列された凹部の場合、ウエイトインサートの質量は、約１０〜約２０グラムである。ウエイト部材の質量は、１０グラム未満であってもよい。例えば、第３ウエイト部材を設ける場合、この質量は、１０グラム未満であることが計画される。相対的に見て、ウエイト部材の比重は、クラブヘッドの比重よりも大きい。２個以上のウエイト部材を設ける場合、ウエイト部材は実質的に同一であってもなくてもよい。制振部材の質量は好ましくは、１０グラム未満であり、その比重は、クラブヘッドの比重よりも小さい。凹部は、複数のインサートを更に有するのがよい。例えば、任意特定の凹部の中には、ウエイト部材と制振部材の両方を配置するのがよい。
【発明を実施するための最良の形態】
【００１５】
添付の図面を参照して本発明を説明する。なお、図中、同一の符号は、同一の要素を示している。
【００１６】
図１は、本発明の第１のゴルフクラブヘッド１の背面図である。クラブヘッド１は、打球面１１、トップライン１２、ソール１３及びバック１４を備えた本体１０を有する。クラブヘッド１は、ヒール１５及びトウ１６を更に有する。バック１４は、キャビティ２０を有し、キャビティ２０は、キャビティ２０から遠ざかって延びる複数の凹部２２の形態をした多数のアンダーカットを有する。好ましくは、クラブヘッド１は、アイアンタイプのゴルフクラブヘッドである。
【００１７】
凹部２２が、クラブ本体１０に設けられており、これら凹部は、ソール１３に向かって延びている。これにより有利には、ソール１３を突き破ることなく材料をクラブヘッド１に付け足すことができる。例えばウエイトインサートを有する公知のクラブヘッドでは、ウエイトは典型的には、ソールを貫通して付け足される。しかしながら、ウエイトはクラブヘッド本体よりも軟らかい場合が多く、クラブのソールがゴルフクラブの通常の使用中、地面を叩くので、ウエイトは、鐘が鳴るような音を出したり又は摩耗しがちであり、その結果外観が見苦しくなる。しかしながら、本発明の凹部２２により、ウエイト又は他の部材をソール１３から隔離した状態でクラブヘッドに付け足すことができる。これは、ウエイト又は他の部材がゴルフスイング中地面に接触するのを阻止すると共にクラブの新品同様の外観を保つのに役立つ。
【００１８】
複数の凹部２２を設けることにより、本発明により、複数のインサートを別個独立にゴルフクラブに追加することができる。凹部２２は各々、他の凹部２２とは別個独立にインサートを受け入れることができる。同一のインサートを凹部２２の各々に設けるのがよく、又は凹部２２は各々、独自の部材を収容することができる。このようにすると、ゴルフクラブをゴルファーの独特のスイング特性に合わせて製作することができる。好ましくは、インサートは、凹部２２を完全に埋める。
【００１９】
図２は、図１のゴルフクラブヘッドの別の図である。図示の実施形態では、凹部２２は、ヒールからトウの方向において実質的に打球面１１に対して長手方向に整合している。ゴルフクラブヘッド１は、キャビティ２０のヒール部分に設けられた第１凹部２５及びキャビティ２０のトウ部分に設けられた第２凹部２６を有する。凹部２５，２６の各々の容積は好ましくは、約１立方センチメートル〜約１０立方センチメートルである。凹部２５，２６の各々の深さは好ましくは、約０．３００インチ（７．６２ｍｍ）〜約０．８００インチ（２０．３２ｍｍ）、より好ましくは約０．４５０インチ（１１．４３ｍｍ）〜約０．７００インチ（１７．７８ｍｍ）である。これら寸法により、適当な寸法及び質量のインサート、例えばウエイト部材を凹部２５，２６の各々に付け足すことができる。クラブヘッド１の輪郭に起因して、凹部の深さは、測定が行われる場所に応じて様々であることは注目されるべきである。
【００２０】
図２は、第１凹部２５内に配置された第１のインサート３５及び第２凹部２６内に配置された第２のインサート３６を示している。インサート３５，３６は、ウエイト部材であるのがよい。凹部２５，２６の各々は、ウエイト部材３５，３６を有するのがよく、又は凹部２５，２６のうち一方だけがウエイト部材３５，３６を有してもよい。変形例として、凹部２５，２６にはウエイト部材３５，３６を設けなくてもよい。ウエイト部材３５，３６が設けられる場合、かかるウエイト部材３５，３６の各々の質量は好ましくは、約５ｇ〜約３０ｇであり、より好ましくは約１０グラム以上である。ウエイト部材３５，３６も又、クラブヘッドと相対的に見て説明できる。各ウエイト部材３５，３６の比重は好ましくは、クラブヘッドの比重よりも大きい。ウエイト部材３５，３６は、実質的に同一であるのがよいが、異なっていてもよい。第１ウエイト部材３５の比重は、第２ウエイト部材３６の比重よりも小さい。これは、ボールをスライスさせる傾向のあるゴルファーにとって望ましい場合がある。というのは、クラブヘッドの重心をヒール１５に向かって押しやることにより、クローズドスタンスにするのが容易になり、クラブヘッドを衝撃時にオープンスタンスにしたままである恐れが減少するからである。変形例として、第１ウエイト部材３５の比重は、第２ウエイト部材３６の比重よりも大きくてもよい。これは、ボールをフックさせる傾向のあるゴルファーにとって望ましい場合がある。というのは、クラブヘッドの重心をトウ１６に向かって押しやることにより、クローズドスタンスにするのが困難になり、クラブヘッドを衝撃時にクローズドスタンスにするのが早すぎ又はクローズドスタンスにし過ぎになる恐れが減少するからである。好ましくは、ウエイト部材は、凹部２５，２６の各々の中に設けられ、それによりクラブヘッド質量の大部分が周囲に移され、慣性モーメント（ＭＯＩ）が大きくなり、クラブヘッドのスイートスポットのサイズが大きくなる。慣性は、外力が作用しなければ、物体が静止状態のまま又は一様な運動を保つ物体の性質である。ＭＯＩは、所与の軸線回りの角加速度に対する物体の抵抗の尺度であり、物体中の各質量要素と軸線からの要素の距離の２乗の積の合計に等しい。かくして、軸線からの距離が増大するにつれて、ＭＯＩが増大し、オフセンタヒットに起因するクラブヘッドのねじれ抵抗が増大し、クラブの寛容度が一層高くなる。
【００２１】
インサート３５，３６のうち一方又は両方は、ウエイト部材に代えて、制振材であってもよい。オフセンタヒット中に生じる振動を含むクラブヘッド中の振動を減少させる好ましい制振材料としては、ゴム、ウレタン、ポリウレタン、ブタジエン、ポリブタジエン及びシリコーンのうち１以上が挙げられる。インサートは、凹部を完全に満たすのがよく、又はその一部だけを満たしてもよい。
【００２２】
ゴルフクラブヘッド１の図示の実施形態は、第１凹部２５と第２凹部２６との中間に位置する第３凹部２７を更に含む。第３凹部２７により、第３のインサートを上述のインサートとは別個独立にクラブヘッド１に付け足すことができる。第３凹部２７の容積は好ましくは、第１及び第２凹部２５，２６の各々よりも大きい。第３凹部２７の容積は好ましくは、第１凹部２５及び第２凹部２６の容積の合計よりも大きいのがよく、又は、好ましくは、第１凹部２５と第２凹部２６の容積の合計の２倍以上であるのがよい。第３凹部２７の深さは好ましくは、約０．４５０インチ（１１．４３ｍｍ）〜約０．７００インチ（１７．７８ｍｍ）であり、より好ましくは約０．２５０インチ（６．３５ｍｍ）〜約０．５００インチ（１２．７ｍｍ）である。これら寸法により、適当な寸法及び質量の部材をクラブヘッド１の中心に付け足すことができる。
【００２３】
第３のインサート３７を第３凹部２７内に設けるのがよい。第３のインサート３７は、ウエイト部材であるのがよい。ウエイト部材である場合、その質量は好ましくは、約１０グラム以下である。相対的に見て、第３ウエイト部材３７の比重は好ましくは、クラブヘッドの比重よりも小さい。第３ウエイト部材３７の比重は、第１ウエイト部材３５及び第２ウエイト部材３６の比重の各々よりも小さいのがよい。変形例として、第３ウエイト部材３７の比重が、第１ウエイト部材３５及び第２ウエイト部材３６の比重の各々よりも大きくてもよい。変形例として、第３ウエイト部材３７の比重は、第１ウエイト部材３５の比重と第２ウエイト部材３６との比重との間にあってもよい。
【００２４】
ウエイト部材である代わりに、インサート３７は、何か他のもの、例えば制振部材であってもよい。制振部材を用いることは、例えばオフセンタヒット中に生じるようなクラブヘッド１中の振動を減少させるのに有用である。制振部材３７を、単独で用いてもよく、又は他のインサート３５，３６、例えばウエイト部材と関連して用いてもよい。制振部材３７の質量は好ましくは、ウエイト部材３５，３６の各々の質量よりも小さい。相対的に見て、制振部材３７の比重は、クラブヘッド１の比重よりも小さい。
【００２５】
図３は、本発明の第２のゴルフクラブヘッド２の背面図である。第１のクラブヘッド１と同様、第２のクラブヘッド２は、複数の凹部を有している。図示の実施形態は、第１のクラブヘッド１と同様、トウ凹部２６、中央凹部２７及びヒール凹部２５を有する。しかしながら、凹部の形状及び容積は、第１のクラブヘッド１の場合と異なっている。
【００２６】
図４は、本発明の第３のゴルフクラブヘッド３の背面図である。上述のクラブヘッドと同様、このクラブヘッド３は、打球面、トップライン、ソール、バック、ヒール及びトウを備えた本体を有する。バックは、キャビティを有し、キャビティは、キャビティから遠ざかって延びる複数の凹部の形態をした多数のアンダーカットを有する。凹部が、クラブ本体に設けられ、これら凹部は、ソールに向かって延びている。
【００２７】
第３のクラブヘッド３の凹部は、フロントからバックへの方向において実質的に打球面に対して横方向に整合し、ヒールからトウの方向に延びている。複数の凹部は、バックに隣接して位置する第１凹部４２を含む。好ましくは、第１凹部４２の容積は、約１立方センチメートル〜約１０立方センチメートルである。さらに、第２凹部４４を第１凹部４２に隣接してクラブヘッドのバックに設けるのがよい。第２凹部４４の容積も又、好ましくは約１立方センチメートル〜約１０立方センチメートルである。クラブヘッド３の輪郭に起因して、第２凹部４４の容積は第１凹部４２の容積よりも小さい可能性が多分にある。
【００２８】
インサートを凹部４２，４４のいずれか一方又は両方の中に設けるのがよい。意図したインサートとしては、ウエイト及び制振材が挙げられる。例えば、ウエイト部材を第１凹部４２内に配置するのがよく、制振部材を第２凹部４４内に配置するのがよい。変形例として、制振部材を第１凹部４２内に配置し、ウエイト部材を第２凹部４４内に配置してもよく、これにより、重心がクラブヘッド３の後部寄りになり、ＭＯＩが増大し、クラブの寛容度が一層高くなる。変形例として、両方の凹部４２，４４は、同一タイプのインサートを収容してもよい。ウエイト及び（又は）制振部材を凹部４２，４４内に位置決めすると、かかる部材の質量は、ゴルフクラブの感触及び操作性に影響を及ぼす。ウエイト部材の比重は好ましくは、クラブヘッドの比重よりも大きく、制振部材の比重は好ましくは、クラブヘッドの比重よりも小さい。ウエイト部材の質量は、約１０〜約２０グラムであることが計画される。
【００２９】
図５は、本発明の第４のゴルフクラブヘッド４の背面図である。クラブヘッド４は、打球面、トップライン、ソール、バック、ヒール及びトウを備えた本体を有する。バックは、キャビティを有し、キャビティは、キャビティから遠ざかって延びる複数の凹部の形態をした多数のアンダーカットを有する。凹部は、クラブ本体に設けられ、ソールに向かって延びる。
【００３０】
クラブヘッド４の凹部は、上述した両方のタイプの凹部を含む。第１凹部５２が、打球面に実質的に横方向に整合し、ヒールからトウの方向に延びる。第２凹部５３が、打球面に対し実質的に長手方向に整合し、キャビティのヒール部分に設けられる。第３凹部５４が、フェースに対し実質的に長手方向に整合し、キャビティのトウ部分に設けられる。第２凹部５３及び第３凹部５４は、ヒールからトウの方向に整合している。第４凹部５５を第２凹部５３と第３凹部５４との中間に設けるのがよい。ウエイト部材と制振部材の任意所望の組合せは、凹部５２，５３，５４，５５を備えるのがよい。好ましい実施形態では、制振部材は、第１凹部５２内に設けられ、ウエイト部材は、第２凹部５２及び第３凹部５４内に設けられる。ウエイト部材又は制振部材のうちいずれかを第４凹部５５内に設けることができる。
【００３１】
上述のゴルフクラブヘッドの各々に関し、凹部は、複数のインサート又はハイブリッド型インサートを収容することができる。例えば、ウエイト部材を凹部のうち任意のものの下方部分に挿入し、制振部材をウエイト部材の上部に挿入してもよい。これは、有利には、ＭＯＩ及びスイートスポットのサイズの改善を可能にし、それと同時に制振を可能にする。
【００３２】
本発明の好ましい実施形態を上述したが、これら実施形態は、例示に過ぎず、本発明を限定するものではないことは理解されるべきである。当業者であれば、本発明の精神及び範囲から逸脱することなく形態及び細部の種々の変更を想到できることは明らかである。かくして、本発明は、上述の例示の実施形態によっては限定されず、特許請求の範囲の記載及びその均等範囲に基づいてのみ定められる。
【図面の簡単な説明】
【００３３】
【図１】本発明の第１のゴルフクラブヘッドの背面図である。
【図２】図１のゴルフクラブヘッドの別の図である。
【図３】本発明の第２のゴルフクラブヘッドの背面図である。
【図４】本発明の第３のゴルフクラブヘッドの背面図である。
【図５】本発明の第４のゴルフクラブヘッドの背面図である。
【符号の説明】
【００３４】
１  ゴルフクラブヘッド
１０  本体
１１  打球面
１２  トップライン
１３  ソール
１４  バック
１５  ヒール
１６  トウ
２０  キャビティ
２２  凹部
３５、３６  インサート又はウエイト部材
【図１】
2005253980.tif 000003
【図２】
2005253980.tif 000004
【図３】
2005253980.tif 000005
【図４】
2005253980.tif 000006
【図５】
2005253980.tif 000007